(57)【要約】      （修正有）【課題】紙片の挿入が簡単で、開口部から紙片の意図しないはみ出しや脱落の発生を阻止することができるクリアファイルを提供する。【解決手段】折り返し辺１５にて折り返すことで形成される上シート１２および下シート１３の該折り返し片１５寄りの２か所を短く連結した一部連結ａ１および一部連結ａ２をそれぞれ形成し、上シート対辺１２３の中央やや上シート乙辺１２１寄りにくり抜き切除部１２３０１と、該くり抜き切除部１２３０１に対向する下シート対辺１３３に差し込み部１３３０２を設けるとともに、該下シート対辺１３３の中央やや下シート甲辺１３２寄りにくり抜き切除部１３３０１と、該くり抜き切除部１３３０１に対向する上シート対辺１２３に差し込み部１２３０２を設けた。【選択図】図１
2020131693.tif 000002
【特許請求の範囲】
【請求項１】
方形で同型の、上下に重なった場合の上シートと下シートの各４辺を上下共に、折り返し辺とその対辺、甲辺、乙辺と称するにおいて、折り返し辺は上下連結し、甲辺と乙辺は折り返し辺寄りで上下の一部が連結し、対辺のそれぞれ一部を切除して折り返し辺との幅を大幅や小幅などとするにおいて、その大幅の部分にくり抜き部と差し込み部を設けて両シートが錠組み合わせとなるクリアファイル。
【請求項２】
錠組み合わせとなる大幅の部分のくり抜き部と差し込み部に替えて、大幅の一部を両シート内に折り曲げて両シート共にトラップ機能部を有するとした請求項１記載のクリアファイル。
【請求項３】
折り返し辺と対辺の位置を保ちながら両シートが共に上下反転しても、同前態勢が再現されるとした請求項１、または請求項２記載のクリアファイル。
【発明の詳細な説明】
【技術分野】
【０００１】方形で同型の、上下に重なった場合の上シートと下シートの各４辺を上下共に、折り返し辺とその対辺、甲辺、乙辺と称するにおいて、折り返し辺は上下連結し、甲辺と乙辺は折り返し辺寄りで上下の一部が連結し、そうして上下の対辺それぞれの一部を各所切除や折り曲げにより折り返し辺との幅が大幅や小幅となって挿入物のはみだしや不如意な脱出を防ぐ機能となり、および両シートの乖離開口の手掛かりともなり、さらにその折り返し辺と対辺の位置を保ちながら両シートが共に上下反転すれば、同前態勢が再現されるとした本発明のクリアファイルに関する。
【背景技術】
【０００２】多くは透明質の従来市場流通するクリアファイルは、共に４辺を縦の折り返し辺とその対辺及び横の２辺、と称する方形で同型の上下２枚のシートの乖離開口が、下シートの対辺の一部切除している部分を、上シートの対辺を透視してその位置を確認し、そうしてその位置の上シート側を手掛り部として捲り返すという煩雑さがあり、また縦とした折り返し辺と横とした１辺全長において上シートと下シートが連結している場合、捲り返した上シートに下シートが追随連動して、両シートの安定した乖離開口が困難な場合があり、また、挿入する紙片等ファイル対象物が、その全長の連結による奥深い隅まで届きにくかった【０００３】また、クリアファイルを移動させる際、挿入保管された対象物が上下連結のない横辺や対辺から不如意にはみ出すこともあった。
【発明の開示】
【発明が解決しようとする課題】
【０００４】前記従来のクリアファイルにおいては、対辺の一部切除部を除き両シートの４辺が上下同位置であり、両シートの乖離開口は、該切除部位置における上シートの下面に指を差し入れて上シートを捲り上げるため、乖離開口前に、シートの上下の態勢の留意と、次に該切除部位置を透視確認せねばならなかった。【０００５】また前記折り返し辺と横辺の一辺の連結部分が長いため、捲り上げた上シートに下シートが追随連動して持ち上がれば両シート間にファイル目的の対象物の挿入がし難くなり、また、その長い連結ゆえ隅奥まで挿入が及びにくく、及び連結部分のない横辺や対辺からは挿入保管された対象物が容易にはみ出たりもしていた。
【課題を解決するための手段】
【０００６】問題解決のため、本発明のクリアファイルは、方形で同型の、上下に重なった場合の上シートと下シートの各４辺を上下共に、折り返し辺とその対辺、甲辺、乙辺と称するにおいて、折り返し辺は上下連結し、甲辺と乙辺の折り返し辺寄りの上下の連結を短くして浅い隅奥のクリアファイルとし、また、両シートの上下の対辺の一部を、互いに甲乙辺方向で逆位置の形状とすべく、いずれも位置を勘案した切除、あるいは内側への折り曲げにより、折り返し辺と対辺との幅を大幅や小幅などとし、片側シートの小幅部分における対側シートの大幅部分を捲り手掛りとして乖離開口を容易とし、その切除においては片側シートの大幅部分の一部をくり抜き、および対側シートの大幅部分の一部を切除して残った大幅部分をそこに差し込めるとした錠組み合わせ部や、或は前記両シートの内側への折り曲げを、１８０度近くとして挿入物逆行不可のトラップ機能部とした構成で、そうしてその折り返し辺と対辺の位置を保ちながら両シート共に上下反転すれば、同前態勢が再現されるとした。
【発明の効果】
【０００７】前記、甲辺と乙辺の上下一部をそれぞれ短く連結したから、折り返し辺とで形成する隅奥が浅くなって紙片等の完全な挿入が容易となり、及び甲辺と乙辺は対辺寄りの部分で大きく開口して、充分な乖離開口が可能となって紙片等の挿入が容易となり、また挿入物を前記錠組み合わせ部やトラップ機能部により、不如意な脱出を阻止することとなった
また、甲辺と乙辺が折り返し辺寄りで一部が上下連結するにおいて、検証確認によりその連結が辺長の約１１％程度の短さでも有効な数値であり、たとえば、Ａ４紙用のクリアファイルであれば、辺長約２２ｃｍに対して、約２．５ｃｍ程度の連結による浅い隅奥でも脱出阻止は有効であった。
そうして、甲辺と乙辺のその約１１％程度の浅い隅奥部分と前記対辺の錠組み合わせ部等の計３方からの挿入物固定効果において、不如意な脱出やはみだしを阻止するし、前記大幅の部分をつまんで大きく隔離開口すれば、錠組み合わせ部等により脱出を拒まれている挿入物を容易に取り出せる。【０００８】折り返し辺と対辺の位置を保ちながら両シート共に上下反転すれば捲り返し部分の大幅は反転して上側となったシートにも確保され、同前態勢を常に再現することとなった。【０００９】本件クリアファイルは前記上下反転しても同前態勢を再現するクリアファイルとなったので、例えば、水平に置いたクリアファイルの折り返し辺を縦の右辺、対辺を縦の左辺、甲辺を手前辺として慣用すれば、従来の手掛り部の煩雑な探索が不要となり、常に上側となっているシートの左辺の甲辺寄りの大幅を捲り返し部分として簡易な紙片等挿入、取り出しが実現したのである。【００１０】    本発明の実施の一例の形態を図１、図２に基づいて説明する。
【図面の簡単な説明】
【００１１】
【図１】本件のクリアファイル１は折り返し辺１５において上シート１２下シート１３が連結し、上シート乙辺１２１と下シート乙辺１３１は折り返し辺１５寄りで一部連結ａ１とし、上シート甲辺１２２と下シート甲辺１３２も同様一部連結ａ２としており、上シート１２の上シート対辺１２３において折り返し辺１５との幅が、各所に切除された小幅１２３１と未切除部分の大幅１２３０があり、その大幅１２３０にはくり抜き切除部１２３０１と差し込み部１２３０２があり、下シート１３の下シート対辺１３３において折り返し辺１５との幅が、各所に切除された小幅１３３１と未切除部分の大幅１３３０があり、その大幅１３３０にはくり抜き切除部１３３０１と差し込み部１３３０２があり、両対辺は互いに甲乙辺方向で前記各部が逆位置の配置として上シート１２と下シート１３が閉じ合えば両各部幅は同寸であり、片側シートの小幅箇所において対側シートの大幅は捲り返しの手掛りとなり、片側シートのくり抜き切除部に対側シートの差し込み部を差し込めば両シートが錠組み合わせ状となる配置としており、挿入されている紙片等Ａは一部連結ａ１と一部連結ａ２と前記錠組み合わせ部との３か所からの固定効果により、不如意な脱出やはみだしが阻止され、折り返し辺１５と両対辺を同位置として両シートが共に上下反転しても同前の態勢が再現されるクリアファイル１の概略図。
【図２】図１における錠組み合わせ状に替えて、下シート１３においては大幅１３３０の一部を１８０度近く折り曲げた折り曲げ部１３３０３により、挿入された紙片等Ａはトラップ状に逆行脱出を阻止され、上シート１２においても同様とすれば、両シートが共に上下反転しても同前の態勢が再現されるクリアファイル１の概略図。
【符号の説明】
【００１２】１          クリアファイル
１２        上シート
１３        下シート
１５        折り返し辺
１２１      上シート乙辺
１２２      上シート甲辺
１２３      上シート対辺
１３１      下シート乙辺
１３２      下シート甲辺
１３３      下シート対辺
１２３１    小幅
１３３１    小幅
１２３０１  くり抜き切除部
１２３０２  差し込み部
１３３０１  くり抜き切除部
１３３０２  差し込み部
１３３０３  折り曲げ部
Ａ          紙片等
ａ１        一部連結
ａ２        一部連結
【図１】
2020131693.tif 000003
【図２】
2020131693.tif 000004